(57)【要約】【課題】電子機器及び案内方法を提供する。【解決手段】実施形態の電子機器は、検出部と、検出案内部と、を具備する。検出部は、自機と接続する機器の出力部からのインタフェース装置が自機の入力部ポートに接続されていない、あるいは自機と接続する機器の入力部と自機の入力部とが接続されている、もしくは自機と同じ区分の装置が同一の接続系に接続されている、または、自機とインタフェース装置により接続する機器がオーディオ装置である場合において、自機のオーディオ装置からの入力を受け付けるよう定められている入力部とオーディオ装置の出力部からのインタフェース装置とが接続されていない状態である、または、自機からオーディオ装置へのオーディオ信号の出力モードと一致していない状態であることの少なくとも１つを検出する。【選択図】図１
2018107497.tif 000002
【特許請求の範囲】
【請求項１】
双方向通信インタフェース装置で接続する機器との間の接続において、
自機と接続する前記機器の出力部からの前記双方向通信インタフェース装置が自機の入力部ポートに接続されていない、あるいは
自機と接続する前記機器の入力部と自機の入力部とが接続されている、もしくは
自機と同じ区分の装置が同一の機器相互間の接続系に接続されている
ことにより映像や音声が再生できない、または機器の連動制御ができない状態である、または、
自機と前記双方向通信インタフェース装置により接続する機器がオーディオ装置である場合において、その接続状態または設定項目にて、自機の前記オーディオ装置からの入力を受け付けるよう定められている入力部と前記オーディオ装置の出力部からの前記双方向通信インタフェース装置とが接続されていないことにより音声の出力先がオーディオ装置に設定されている場合に音声が再生できない状態である、または
前記オーディオ装置において設定されているオーディオ再生モードが自機からオーディオ装置へのオーディオ信号の出力モードと一致していない状態である
ことの少なくとも１つを検出する検出部と、
前記検出部が前記状態の少なくとも１つを検出するための処理方法を案内する検出案内部と、
を具備する電子機器。
【請求項２】
前記検出部は、前記電子機器が“ロジカルアドレス＝０”を取得できていることを検出する請求項１の電子機器。
【請求項３】
前記検出部は、前記電子機器から“ロジカルアドレス＝０”を取得できている装置に対するポーリングに応答がないことを検出する請求項２の電子機器。
【請求項４】
前記検出部は、前記オーディオ装置が“ロジカルアドレス＝５”で定められる機器であって、電源ラインの電圧が正常であることを検出する請求項１の電子機器。
【請求項５】
前記オーディオ装置のうち、前記検出部によりＡＲＣ（ＨＤＭＩ−ＡＲＣ（Audio Return Channel））に対応していることを検出した状態において、前記オーディオ装置の物理アドレスが前記ＡＲＣに対応した入力ポートに一致しないことを検出する請求項１の電子機器。
【請求項６】
前記検出案内部は、前記状態の少なくとも１つを検出するための処理方法を前記電子機器のスピーカーからの音声により案内する請求項１、２、３、４または５のいずれかの電子機器。
【請求項７】
前記電子機器は、前記検出案内部が出力する表示信号に対応する案内画面を表示する表示部をさらに具備する請求項１、２、３、４、５または６のいずれかの電子機器。
【請求項８】
双方向通信インタフェース装置接続する機器との間の接続において、
自機と接続する機器の出力部からの双方向通信インタフェース装置が自機の入力部ポートに接続されていない、あるいは
自機と接続する機器の入力部と自機の入力部とが接続されている、もしくは
自機と同じ区分の装置が同一の機器相互間の接続系に接続されている
ことにより映像や音声が再生できない、または機器の連動制御ができない状態である、または、
自機と双方向通信インタフェース装置により接続する機器がオーディオ装置である場合において、その接続状態または設定項目にて、自機のオーディオ装置からの入力を受け付けるよう定められている入力部とオーディオ装置の出力部からの双方向通信インタフェース装置とが接続されていないことにより音声の出力先がオーディオ装置に設定されている場合に音声が再生できない状態である、または
オーディオ装置において設定されているオーディオ再生モードが自機からオーディオ装置へのオーディオ信号の出力モードと一致していない状態である
ことの少なくとも１つを検出し、
少なくとも１つを検出するための処理方法を案内する
案内方法。
【発明の詳細な説明】
【技術分野】
【０００１】
この発明は、双方向通信インタフェース装置により接続する電子機器及び案内方法に関する。
【背景技術】
【０００２】
電子機器、例えばテレビジョン装置は、プレーヤーやレコーダーから入力する映像及び音声（音響）を再生することもできる。プレーヤーやレコーダーとテレビジョン装置との接続に、双方向通信インタフェース装置、例えばHigh-definition Digital Media Interface（ＨＤＭＩ（登録商標））規格に準拠したインタフェース装置を用いることにより、映像をテレビジョン装置の画面に表示し、音声（音響）を、例えば外部スピーカーで再生することができる。
【先行技術文献】
【特許文献】
【０００３】
【特許文献１】国際公開第２０１５／１８２５９７号
【発明の概要】
【発明が解決しようとする課題】
【０００４】
しかしながら、ＨＤＭＩ規格に準拠したインタフェース装置には、複数のバージョンが存在する。また、ＨＤＭＩ規格に準拠したインタフェース装置を接続するケーブルにも、複数のバージョンが存在する。このため、見かけ上の接続が正しく見えても誤動作する、あるいは動作しない場合がある。また、接続が正しい場合であっても、接続された機器のいずれかにおいて正しくない設定が行われていれば、同様に、誤動作する、あるいは動作しない場合がある。
【０００５】
この発明の目的は、双方向通信ケーブルにより接続する機器の設定や機器相互間の接続を案内する電子機器及び案内方法を提供することである。
【課題を解決するための手段】
【０００６】
実施形態の電子機器は、検出部と、検出案内部と、を具備する。前記検出部は、双方向通信インタフェース装置で接続する機器との間の接続において、自機と接続する前記機器の出力部からの前記双方向通信インタフェース装置が自機の入力部ポートに接続されていない、あるいは自機と接続する前記機器の入力部と自機の入力部とが接続されている、もしくは自機と同じ区分の装置が同一の機器相互間の接続系に接続されていることにより映像や音声が再生できない、または機器の連動制御ができない状態である、または、自機と前記双方向通信インタフェース装置により接続する機器がオーディオ装置である場合において、その接続状態または設定項目にて、自機の前記オーディオ装置からの入力を受け付けるよう定められている入力部と前記オーディオ装置の出力部からの前記双方向通信インタフェース装置とが接続されていないことにより音声の出力先がオーディオ装置に設定されている場合に音声が再生できない状態である、または前記オーディオ装置において設定されているオーディオ再生モードが自機からオーディオ装置へのオーディオ信号の出力モードと一致していない状態であることの少なくとも１つを検出する。前記検出案内部は、前記状態の少なくとも１つを検出するための処理方法を案内する。
【図面の簡単な説明】
【０００７】
【図１】実施形態の電子機器（テレビジョン放送受信装置）の要部の一例を示す概略図。
【図２Ａ】実施形態の電子機器と双方向通信インタフェース装置で接続する機器の設定項目に対する案内方法の一例をソフトウェア的に示す概略図。
【図２Ｂ】実施形態の電子機器と双方向通信インタフェース装置で接続する機器の設定項目に対する案内方法の一例をソフトウェア的に示す概略図。
【図２Ｃ】実施形態の電子機器と双方向通信インタフェース装置で接続する機器の設定項目に対する案内方法の一例をソフトウェア的に示す概略図。
【発明を実施するための形態】
【０００８】
以下、図面を参照して、実施の一形態について説明する。
【０００９】
図１は、実施形態に係わる電子機器、例えばテレビジョン放送受信装置（以下テレビジョン装置と称する）及びテレビジョン装置と接続する外部機器の要部を説明する概略ブロック図である。なお、以下に説明する個々の要素や構成は、マイクロコンピュータ（処理装置、例えばＣＰＵ（Central Processing Unit））によりソフトウェアで実現するものであってもよいし、ハードウェアで実現するものであってもよい。
【００１０】
図１が示すテレビジョン装置１０は、空間波による伝送（放送）により供給される番組（コンテンツと称する場合もある）のうちの視聴者（ユーザー）が選択した番組を受信して再生する。なお、番組は、ネットワークを経由した配信により供給されるものであってもよい。また、番組は、例えばコンテンツサーバ（番組提供元）へのアクセス（参照と選択的な取得（ダウンロード））により入手するものであってもよい。なお、番組は、ストリームあるいは情報と称する場合もあり、映像及び映像に付属した（もしくは映像と独立した）音声及びまたは音楽等からなる。また、映像は、動画と静止画あるいはテキスト（コード化された符号列で示される文字や記号等で表される情報）ならびにその任意の組み合わせを含む。
【００１１】
テレビジョン装置１０は、信号処理部（番組再生処理部）１２、ＨＤＭＩ制御部１３（ＨＤＭＩ−ＣＥＣ（Consumer Electronics Control）制御部と称する場合もある）、ＡＲＣ（ＨＤＭＩ−ＡＲＣ（Audio Return Channel））エンコーダー（ＡＲＣエンコード部）１４、ディスプレイ（表示部）１５、内蔵スピーカー１６、ＥＤＩＤ（Extended Display Identification Data）保持部１７、及び制御部１１等を含む。なお、ＨＤＭＩ制御部１３は、High-definition Digital Media Interface（ハイディフィニションデジタルメディアインタフェース（ＨＤＭＩ））規格に準拠する双方向通信インタフェース装置を制御する。また、信号処理部１２とディスプレイ１５との間には、図示しないグラフィックス処理部が、信号処理部１２と内蔵スピーカー１６との間には、図示しないオーディオ処理部が、それぞれ位置する。なお、グラフィックス処理部及びオーディオ処理部は、ソフトウェアで構成され、制御部１１のファームウェアとして用意されるものであってもよい。グラフィックス処理部は、ディスプレイ１５が表示する文字情報や案内画面、ユーザーインタフェース（ＵＩ）画面等を生成する図示しないＯＳＤ（On Screen Display）処理部と接続する。オーディオ処理部は、内蔵スピーカー１６が再生する所定の案内メッセージのための音声データを処理する音声合成処理部と接続する。なお、ＯＳＤ処理部はグラフィックス処理部と一体であってもよい。また、音声合成処理部はオーディオ処理部と一体であってもよい。また、ＯＳＤ処理部及び音声合成処理部は、ソフトウェアで構成され、制御部１１のファームウェアとして用意されるものであってもよい。
【００１２】
テレビジョン装置１０の制御部１１は、テレビジョン装置１０の上述の各部の動作を統括的に制御する。制御部１１は、少なくともＣＰＵ（Central Processing Unit）、ＣＰＵが実行する制御プログラムを格納したＲＯＭ（Read Only Memory）、ＣＰＵに作業エリアを提供するＲＡＭ（Random Access Memory）、及び各種の設定情報や制御情報、ＨＤＭＩ規格に準拠したインタフェース装置（ＨＤＭＩケーブル）により相互に接続する機器のそれぞれのＥＤＩＤ等を保持する不揮発性メモリ、を含む。制御部１１はまた、図示しない操作部からのユーザー指示入力に対応する操作情報、あるいは図示しないリモートコントローラからのユーザー指示入力を図示しない受信部において受け付けた操作情報に基づいて、テレビジョン装置１０の各部を制御する。また、制御部１１は、信号処理部１２から、番組を取得するための各種データ（Ｂ−ＣＡＳデスクランブル用の鍵情報等）や電子番組ガイド（ＥＰＧ）情報、番組属性情報（番組ジャンル等）、字幕情報等（サービス情報、ＳＩやＰＳＩ）を取得する。制御部１１はまた、取得した情報から、ＥＰＧ、字幕を表示するための画像情報を生成し、グラフィックス処理部へ出力する。
【００１３】
信号処理部１２は、制御部１１による制御の下、テレビジョン装置１０が受信している放送中の番組の視聴時には、図示しないチューナーが選局したチャンネルの放送信号を復調し、所望の番組を含んだトランスポートストリーム（以下ＴＳと称する）を抽出する。信号処理部１２は、抽出したＴＳから映像（ビデオと称する場合もある）信号と音声及びまたは音楽（オーディオと称する場合もある）信号とを分離してビデオ信号及びオーディオ信号に対して選択的に所定の信号処理を施し、グラフィックス処理部及びオーディオ処理部に出力する。信号処理部１２は、外部装置、例えばプレーヤーあるいはレコーダーから供給されるコンテンツ（番組）の再生時には、外部入力として受け付けた番組のビデオ信号及びオーディオ信号に所定の信号処理を施し、グラフィックス処理部及びオーディオ処理部に出力する。
【００１４】
なお、信号処理部１２には、例えば第２のＨＤＭＩポート１０Ｂを経由して上述したＳＴＢ５０以外の、例えばレコーダー、プレーヤー、もしくはビデオカメラ装置等から番組（コンテンツ）が入力可能である。ＳＴＢ５０、レコーダー、プレーヤー等は、ＨＤＭＩポート１０Ａと接続することも可能であるが、実施形態においては、上述の通り、ＨＤＭＩポート１０Ａには外部アンプ装置２０が接続するものとする。なお、ＨＤＭＩポートは、３以上設けられてもよいし、１であってもよい。また、ＨＤＭＩポートの少なくとも１つは、ＡＲＣ対応であるものとし、ここではＨＤＭＩポート１０ＡがＡＲＣ対応であるものとする。
【００１５】
ＨＤＭＩ制御部１３及びＡＲＣエンコーダー１４は、ＨＤＭＩポート（コネクタと称する場合もある）１０Ａと接続する。ＨＤＭＩポート１０Ａは、ＨＤＭＩケーブル１０１により、外部アンプ装置２０のＨＤＭＩポート２０Ａと接続する。これにより、ＨＤＭＩ制御部１３は、外部アンプ装置２０のＨＤＭＩ制御部２１を通じ、外部アンプ装置２０との間で、ビデオ信号、オーディオ信号及び制御信号の受け渡しが可能である。なお、外部アンプ装置２０には、外部機器、例えばプレーヤー４０が、ＨＤＭＩポート２０Ｂと接続するＨＤＭＩケーブル１０２により接続する。これにより、ＨＤＭＩ制御部１３は、プレーヤー４０との間で、ビデオ信号、オーディオ信号及び制御信号の受け渡しが可能である。
【００１６】
ＨＤＭＩ制御部１３はまた、第２のＨＤＭＩポート（コネクタ）１０Ｂ、ＨＤＭＩポート１０Ｂに接続する外部機器、例えばＳＴＢ５０と信号の受け渡しが可能である。すなわち、ＨＤＭＩ制御部１３は、ＨＤＭＩケーブル１０３により、ＨＤＭＩポート１０Ｂを通じてＳＴＢ５０のＨＤＭＩポート５０Ａと接続する。これにより、ＨＤＭＩ制御部１３は、ＳＴＢ５０の選局部５１が選局した番組（コンテンツ）を受信することができる。
【００１７】
ＨＤＭＩ制御部１３は、任意のＨＤＭＩポート（１０Ａまたは１０Ｂ）と接続したＨＤＭＩケーブル（１０１または１０２）により双方向通信可能な外部機器のそれぞれから、その機器のＥＤＩＤ保持部（２４または４２）が保持する物理アドレス（Physical Address、以下ＰＡと称する）を読みとる。ＨＤＭＩ制御部１３は、読みとったＰＡにより特定できる機器に対して、電源がオンであるかオフであるか等のステータス情報を要求する。
【００１８】
ＨＤＭＩ制御部１３はまた、図２Ａ、図２Ｂ及び図２Ｃにより後段に説明するＣＥＣ連動（自機と双方向通信ケーブルにより接続する他機との間の一体的な制御）を実現するための設定項目のエラー診断や、エラー診断のための案内を実行する。
【００１９】
ＡＲＣエンコーダー１４は、ＨＤＭＩ制御部１３が読みとったオーディオ情報により特定できる機器すなわち外部アンプ装置２０が再生可能な音響出力形式に、テレビジョン装置１０が出力する音響（音声）出力を必要によりエンコードする。
【００２０】
ディスプレイ１５は、ビデオ信号に対応する映像を表示する。
【００２１】
内蔵スピーカー１６は、例えばテレビジョン装置１０が受信している放送中の番組の視聴時に、オーディオ処理部からのオーディオ信号に対応するアナログ出力を再生する。
【００２２】
外部アンプ装置（オーディオ装置と称する場合もある）２０は、ＨＤＭＩ制御部２１、ＡＲＣデコーダー（ＡＲＣデコード部）２２、増幅部（アンプ部）２３、ＥＤＩＤ保持部２４、及び図示しない制御部等を含む。
【００２３】
外部アンプ装置２０のＨＤＭＩ制御部２１及びＡＲＣデコーダー２２は、ＨＤＭＩポート２０Ａと接続する。ＨＤＭＩポート２０Ａは、ＨＤＭＩケーブル１０１により、テレビジョン装置１０のＨＤＭＩポート１０Ｂと接続する。これにより、ＨＤＭＩ制御部２１は、テレビジョン装置１０のＨＤＭＩ制御部１３との間で、ビデオ信号、オーディオ信号及び制御信号の受け渡しが可能となる。また、ＨＤＭＩ制御部２１は、ＨＤＭＩポート２０Ｂと接続する。ＨＤＭＩポート２０Ｂは、ＨＤＭＩケーブル１０２により、プレーヤー４０のＨＤＭＩポート４０Ａと接続する。これにより、ＨＤＭＩ制御部２１は、プレーヤー４０のＨＤＭＩ制御部４１との間で、ビデオ信号、オーディオ信号及び制御信号の受け渡しが可能となる。
【００２４】
ＨＤＭＩ制御部２１は、任意のＨＤＭＩポート、例えばポート２０Ａと接続したＨＤＭＩケーブル１０１により双方向通信可能な外部機器（この場合テレビジョン装置１０のＥＤＩＤ保持部１７）が保持するＰＡを読みとる。ＨＤＭＩ制御部２１は、読みとったＥＤＩＤに基づいてポート２０Ａと接続した外部機器がテレビジョン装置１０であることを判断し、例えばＡＲＣラインを含むバージョンであること、プレーヤー４０がＨＤＭＩポート２０Ｂを介して接続していること等の情報をテレビジョン装置１０のＨＤＭＩ制御部１３との間で共有することができる。すなわち、外部アンプ装置２０のＨＤＭＩ制御部２１は、テレビジョン装置１０のＨＤＭＩ制御部１３とプレーヤー４０のＨＤＭＩ制御部４１との間のビデオ信号、オーディオ信号及び制御信号の受け渡しを中継できる。
【００２５】
ＡＲＣデコーダー２２は、ＨＤＭＩポート２０Ａを通じて受け付けたテレビジョン装置１０のＡＲＣエンコーダー１４がエンコードしたオーディオ信号をデコードして、次段の増幅部２３へ出力する。
【００２６】
増幅部２３は、ＡＲＣデコーダー２２がデコードしたオーディオ信号を外部スピーカー３０に出力する。
【００２７】
ＥＤＩＤ保持部２４は、例えばテレビジョン装置１０のＨＤＭＩ制御部１３がＨＤＭＩケーブル１０１を通じて読みとり可能に、（自機の）ＥＤＩＤを保持する。
【００２８】
ＨＤＭＩ制御部２１は、テレビジョン装置１０のＨＤＭＩ制御部１３を経由してテレビジョン装置１０のＥＤＩＤ保持部１７からＰＡを取得する。取得したＰＡは、自機のＥＤＩＤ保持部２４が保持する。ＨＤＭＩ制御部２１はまた、第２のＨＤＭＩポート２０Ｂと接続する外部機器、例えばレコーダーあるいはプレーヤーとの間で信号の受け渡しが可能である。なお、ＨＤＭＩポートは、３以上設けられてもよいし、１であってもよい。また、ＨＤＭＩポートの少なくとも１つは、ＡＲＣ対応であるものとし、ここではテレビジョン装置１０と接続するＨＤＭＩポート２０ＡがＡＲＣ対応とする。
【００２９】
外部スピーカー３０は、外部アンプ装置２０の増幅部２３からのオーディオ信号に対応するアナログ出力を再生する。
【００３０】
外部スピーカー３０は、外部アンプ装置２０の増幅部２３と接続する。なお、外部スピーカー３０は、外部アンプ装置２０と一体であってもよい。その場合、外部アンプ装置２０と外部スピーカー３０とをひとまとめにして、例えばサウンドシステム、と称する場合もある。
【００３１】
プレーヤー４０は、ＨＤＭＩ制御部４１、ＥＤＩＤ保持部４２、ディスクユニット４３、詳細な説明を省略するが信号処理部（記録データ読み出し部）、及び図示しない制御部等を含む。
【００３２】
ＨＤＭＩ制御部４１は、ＨＤＭＩポート（コネクタ）４０Ａと接続する。ＨＤＭＩ制御部４１は、上述の通り、ＨＤＭＩポート４０Ａ及び外部アンプ装置２０のＨＤＭＩポート２０Ｂと接続するＨＤＭＩケーブル１０２を経由し、外部アンプ装置２０のＨＤＭＩ制御部２１と接続する。これにより、ＨＤＭＩ制御部４１は、（外部アンプ装置２０の）ＨＤＭＩ制御部２１を通じて、（テレビジョン装置１０の）ＨＤＭＩ制御部１３との間で、ビデオ信号及びオーディオ信号及び制御信号の受け渡しが可能である。
【００３３】
ＨＤＭＩ制御部４１はまた、外部アンプ装置２０のＥＤＩＤ保持部２４からＰＡを取得する。取得したＰＡは、自機のＥＤＩＤ保持部４２が保持する。
【００３４】
ＥＤＩＤ保持部４２は、例えばテレビジョン装置１０のＨＤＭＩ制御部１３がＨＤＭＩケーブル１０１を通じて読みとり可能に、自機のＥＤＩＤを保持している。
【００３５】
ディスクユニット４３は、例えばＢＤ（Blu-ray（登録商標）Disc／ブルーレイディスク）規格やＤＶＤ（Digital Versatile Disk）規格に準拠する光ディスクが保持するコンテンツ（番組）を再生する。
【００３６】
ＳＴＢ（Set Top Box、外部チューナーと称する場合もある）５０は、選局部５１、説明を省略するがＨＤＭＩ制御部、ＥＤＩＤ保持部、及び図示しない制御部等を含む。
【００３７】
選局部５１は、ＨＤＭＩ制御部によるＣＥＣ連動により、例えばテレビジョン装置１０のリモコン装置からの選局指示により指示されたチャンネルを選局し、このチャンネルの番組のビデオ信号及びオーディオ信号、及び番組情報をテレビジョン装置１０のＨＤＭＩ制御部１３に供給する。
【００３８】
ところで、上述した個々の装置のＨＤＭＩポート（物理的な接続部）及びポート間を接続するＨＤＭＩケーブルには、複数のバージョンが存在する。このため、見かけ上の接続が正しく見えても誤動作する、あるいは動作しない場合がある。また、接続が正しい場合であっても、接続された機器のいずれかにおいて正しくない設定が行われていれば、誤動作する、あるいは動作しない場合がある。特に、以下に説明する“接続まちがい（１）”や“接続まちがい（２）”の状態は、ユーザーにはわかりにくい。
【００３９】
“接続まちがい（１）”は、テレビジョン装置と接続する機器の出力ポートからのＨＤＭＩケーブルがテレビジョン装置の入力ポートに接続されていない、あるいはテレビジョン装置と接続する機器の入力ポートとテレビジョン装置の入力ポートとが接続されている、もしくは２台（セット）以上のテレビジョン装置がＣＥＣ連動を実現することのできる機器相互間の接続系に接続されている（自機と同じ区分に区分される装置が同一の系に接続されている）等の映像や音声が再生できない、または機器の連動制御ができない状態である。“接続まちがい（２）”は、テレビジョン装置と双方向通信ケーブルにより接続する機器がオーディオ装置である場合において、その接続状態または設定項目にて、テレビジョン装置のオーディオ装置からの入力を受け付けるよう定められている入力ポートとオーディオ装置の出力ポートからのＨＤＭＩケーブルとが接続されていない等の音声の出力先がオーディオ装置に設定されている場合に音声が再生できない状態である。
【００４０】
なお、実施形態においては、“接続まちがい（１）”および“接続まちがい（２）”に加え、オーディオ装置において設定されているオーディオ再生モードがテレビジョン装置からオーディオ装置へのオーディオ信号の出力モードと一致していない“再生モード不一致”の状態を検出し、その状態を検出した場合には、オーディオ装置のオーディオ再生モードを変更できる。
【００４１】
以下、図２Ａ、図２Ｂ及び図２Ｃにより説明するＣＥＣ連動（双方向通信ケーブルにて自機と接続する他機との間の一体的な制御）において、上述の“接続まちがい（１）”や“接続まちがい（２）”の検出、設定項目のエラー診断、エラー診断のための案内を実行する。
【００４２】
図２Ａ、図２Ｂ及び図２Ｃは、例えばＨＤＭＩケーブルである双方向通信ケーブルにより接続する機器相互間におけるＣＥＣ（ＨＤＭＩ）連動の誤動作やＣＥＣ連動が機能しない場合に、テレビジョン装置からテレビジョン装置と接続する機器の設定の確認や機器相互間の接続を案内する方法の一例を示すフローチャートである。
【００４３】
例えば、リモコン端末装置のメニュー画面の表示コマンドの出力が割り当てられているキーからメニュー画面の表示が指示され、この表示されたメニュー画面から「診断メニュー」を選択することで、外部機器とテレビジョン装置１０との接続に関する「診断メニュー」が起動する。なお、実施形態においては、ＣＥＣ連動、特に“サウンドシステム連動”を“使用する”／“使用しない”の設定（選択）が“使用する”である場合を前提とする。このため、ＣＥＣ連動を“使用しない”設定である場合は、メニュー画面を表示した時点で、「診断メニュー」の項目をグレーアウト表示する等、選択できない状態で表示することが好ましい［ステップ１１］。なお、以下に説明する機器の設定の確認や機器相互間の接続を案内する方法において、テレビジョン装置のディスプレイにメッセージを表示することに加え、例えばテレビジョン装置の内蔵スピーカーから音声により案内することもできる。また、テレビジョン装置の内蔵スピーカーから音声のみにより案内するものであってもよい。テレビジョン装置の内蔵スピーカーから音声により案内することは、例えばテレビジョン装置に、双方向通信ケーブルにより接続する機器が外部アンプ装置である場合において、その接続状態または設定項目にて、音声の出力先が外部アンプ装置に設定されている場合に、上述した“接続まちがい（２）”の状態が発生して音声が再生できない症状が発生する可能性がある状態を検出した場合に、特に有益である。なお、機器の設定の確認や機器相互間の接続を案内する方法において、案内の表示は、例えばＯＳＤ処理部が生成する案内画面やＵＩ画面を表示する。また、音声による場合は、音声合成処理部が出力する音声データを再生する。
【００４４】
初めに、テレビジョン装置１０（自機）が、“Logical Address（論理アドレス、以下ＬＡと称する）＝０”を取得できているか否かを判定する［ステップ１２］。また、“ＬＡ＝０”は、ＣＥＣ連動の運用において、テレビジョン装置であることを示す。これにより、サウンドシステム連動（ＣＥＣ連動）を使用する機器相互間の接続において、上述した“接続まちがい（１）”の状態ではないこと、すなわちＣＥＣ連動を実現することのできる機器相互間の接続において、テレビジョン装置が１台（セット）のみである（２台（セット）以上のテレビジョン装置が存在していない）ことをチェックできる。
【００４５】
“ＬＡ＝０”が取得できた時点［ステップ１２−Ｙ］で、テレビジョン装置が他に接続されていないことを、もう一度確認する。すなわち、テレビジョン装置であることを示す“ＬＡ＝０”が付与されている装置を対象として、polling（ポーリング）を行う。すなわち、ＨＤＭＩ−ＣＥＣのメッセージ機能を使用して、“ＬＡ＝０”が付与されている装置にポーリングメッセージを送信し、応答（acknowledge）がない（no ackである）ことが判断できた場合は、テレビジョン装置が１台（セット）であると判断できる。逆に、ポーリングメッセージに対して応答（acknowledge）があった場合、もしくはテレビジョン装置が“ＬＡ＝０”から“Report Physical Address（ＰＡ）”を受け取った場合、他のテレビジョン装置がＨＤＭＩケーブルで自機（テレビジョン装置）に接続されている可能性があることを検出できる。これにより、上述した“接続まちがい（１）”の状態ではないこと、すなわちＣＥＣ連動を実現することのできる機器相互間の接続において、テレビジョン装置が１台（セット）のみであることを二重にチェックできる［ステップ１３］。
【００４６】
“ＬＡ＝０”を対象とした［ステップ１３］におけるポーリングに応答（acknowledge）がない（“no ack”である）場合［ステップ１４−Ｙ］、“ＬＡ＝５”が存在するか否かを判定する［ステップ１５］。なお、“ＬＡ＝５”は、ＣＥＣ連動の運用において、外部アンプ装置（Audio device（オーディオ装置））であることを示す。
【００４７】
外部アンプ装置が存在する（“ＬＡ＝５”が存在する）ことが判定できた場合［ステップ１５−Ｙ］、例えば“外部アンプ装置との接続性を検証します”等のメッセージをテレビジョン装置のディスプレイに表示させ［ステップ１６］、“System Audio Mode Request”をオンする［ステップ１７］。
【００４８】
“System Audio Mode Request”をオンにすることで、上述した映像や音声が再生できないまたは機器の連動制御ができない等の“接続まちがい（１）”の状態が発生する可能性がある要因の一つである、例えば外部アンプ装置の入力端（外部アンプ装置の入力ＨＤＭＩポート）にテレビジョン装置からのＨＤＭＩケーブルが接続されているか否かを判定する［ステップ１８］。
【００４９】
詳細には、テレビジョン装置が“Report Physical Address”にて“ＰＡ＝０．０．０．０”を受けとった、あるいは“Report Physical Address”そのものを取得できないことを判定する［ステップ１９］。
【００５０】
もしくは（else）、“ＬＡ＝５”において、“ＰＡ＝＊．０．０．０”（＊．０．０．０で識別される機器）のＨＤＭＩ＊のDisplay Data Channel（ディスプレイデータチャンネル、以下ＤＤＣと称する）ライン＝５ＶがＯＦＦ（Ｌｏｗ）であるか否か、すなわちＨＤＭＩ＊（＊は任意の整数であり、例えば１、２、３、・・・、の順に個々のＨＤＭＩポートに付与される）で識別されるポートの電圧が正常であるか否かを判定する［ステップ２０］。なお、ＤＤＣは、電源ラインと称されることもある。また、電圧は回路系により規定される任意の電圧であってよく、実施形態においては上述した５Ｖを用いている。すなわち、ステップ１９の“ｏｒ”と電源ライン（ＤＤＣ）の電圧が正常であること（ステップ２０の判定）とに基づいて、“ＰＡ”が正常であることを検出できる。
【００５１】
［ステップ１９］−else及び［ステップ２０］−elseにより、テレビジョン装置からのＨＤＭＩケーブルが外部アンプ装置の入力ＨＤＭＩポートに接続されていない（接続まちがい（１）ではない）ことが判定できた場合、テレビジョン装置と双方向通信ケーブルにより接続する機器がオーディオ装置である場合において、その接続状態または設定項目にて、音声の出力先がオーディオ装置に設定されている場合に音声が再生できない等の“接続まちがい（２）”の状態が発生する可能性がある要因の一つである、例えば外部アンプ装置の出力ＨＤＭＩポートと接続したＨＤＭＩケーブルがテレビジョン装置の（ＨＤＭＩ−）ＡＲＣ対応ポートに接続されているか否かを判定する［ステップ２１］。
【００５２】
詳細には、“ＬＡ＝５”において、“ＰＡ＝１．０．０．０”であるか否か、すなわち“ＬＡ＝５”で規定される外部アンプ装置からの出力ポートと接続するＨＤＭＩケーブルがテレビジョン装置のＡＲＣ対応のＨＤＭＩポートに接続されているか否かを判定する［ステップ２２］。
【００５３】
外部アンプ装置の出力ＨＤＭＩポートと接続したＨＤＭＩケーブルがテレビジョン装置のＡＲＣ対応ポートに接続されている（接続まちがい（２）ではない）ことが判定できた場合［ステップ２２］−else、すなわち［ステップ２２］において“ＬＡ＝５”で“ＰＡ＝１．０．０．０”である場合、例えば“外部アンプ装置から正しく音声が出力されていますか？”等のユーザーに実態を確認してもらうためのメッセージを、テレビジョン装置のディスプレイに表示させる［ステップ２３］。
【００５４】
“外部アンプ装置から正しく音声が出力されている”ことが、例えばリモコン端末によるテレビジョン装置のディスプレイに表示されている「はい」等の表示へのユーザーからの操作入力により確認できた場合［ステップ２４−Ｙ］、「診断メニュー」を終了する。
【００５５】
“外部アンプ装置から正しく音声が出力されていない”ことが、テレビジョン装置のディスプレイに表示されている「いいえ」等の表示へのユーザーの操作入力により確認できた場合［ステップ２４−Ｎ］、テレビジョン装置のオーディオ信号の出力設定の確認を開始する［ステップ２５］。この場合、ＨＤＭＩケーブルにより接続したテレビジョン装置と外部アンプ装置との間のオーディオ信号の出力設定が非ＡＲＣ（（ＨＤＭＩ−）ＡＲＣ）であるか否かを確認する。オーディオ信号の出力設定が非ＡＲＣであることは、オーディオ信号の出力設定が別のモード、例えば光デジタル出力（Pulse Coded Modulation（ＰＣＭ））に設定されているか否かを確認することにより検出することができる。
【００５６】
設定されているオーディオ信号が、光デジタル出力（ＰＣＭ）ではないと判断できた場合［ステップ２６−Ｙ］、例えば“外部アンプ装置のオーディオ再生モードの設定が現在の設定に対応していない可能性があります”、“本機（テレビジョン装置）のオーディオ再生モードをＰＣＭに変更します”等のメッセージをテレビジョン装置のディスプレイに表示する［ステップ２７］。続いて、例えば“外部アンプ装置から正しく音声が出力されていますか？”等のユーザーに実態を確認してもらうためのメッセージをテレビジョン装置のディスプレイに表示させる［ステップ２８］。
【００５７】
“外部アンプ装置から正しく音声が出力されている”ことが、例えばユーザーのリモコン端末によるテレビジョン装置のディスプレイに表示されている「はい」等の表示への操作入力により確認できた場合［ステップ２９−Ｙ］、「診断メニュー」を終了する。なお、ユーザーが“外部アンプ装置から正しく音声が出力されている”ことを認識したオーディオ再生モードに、オーディオ再生モードを固定（既に設定されているオーディオ再生モードを更新）して、「診断メニュー」を終了するよう設定することも可能である。
【００５８】
これに対し、設定されているオーディオ再生モードが光デジタル出力（ＰＣＭ）であると判断できた場合［ステップ２６−Ｎ］、例えば“外部アンプ装置と本機との接続に異常は認められませんでした。症状が改善されない場合には、サービスコールが必要です”等のユーザーにサービスコールを促すためのメッセージを、テレビジョン装置のディスプレイに表示させる［ステップ６１］。なお、［ステップ２６−Ｙ］においてテレビジョン装置のオーディオ再生モードをＰＣＭに変更し、再び“外部アンプ装置から正しく音声が出力されていますか？”等のメッセージに対し、ユーザーが「いいえ」を選択したことが確認できた場合［ステップ２９−Ｎ］においても［ステップ６１］へ移動し、サービスコールを促す。
【００５９】
一方、［ステップ１５］において、外部アンプ装置が存在することを判定できなかった場合［ステップ１５−Ｎ］、例えば“外部アンプ装置の電源がオンされていること、外部アンプ装置とテレビジョン装置とがＨＤＭＩケーブルで接続されていることを確認してください”等のメッセージを、テレビジョン装置のディスプレイに表示させる［ステップ３１］。以下、ユーザーによる確認が終了した、と推定可能な所定時間経過後に、あるいはユーザーによるリトライ指示に基づき、もう一度“ＬＡ＝５”が存在するか否かを判定する［ステップ３２］。なお、［ステップ３１］において、例えば“サウンドシステム連動（ＣＥＣ連動）を利用する設定であることを確認してください［Ａ］”あるいは“システムオーディオコントロール（System Audio Control）を利用する設定であることを確認してください［Ｂ］”もしくは“オーディオ出力の出力先が外部アンプ装置に設定されていることを確認してください［Ｃ］”等のメッセージをテレビジョン装置のディスプレイに表示してもよい。これにより、見かけ上の接続が正しく見えても、設定がＨＤＭＩケーブルを利用するための設定と異なる場合には動作しない可能性があることをユーザーに知らせることができる。なお、上述した［Ａ］、［Ｂ］及び［Ｃ］の設定の確認を促すメッセージの表示は、図２Ａ、図２Ｂ及び図２Ｃが示すタイミングに支配されるものではなく、例えばユーザーがメニュー画面から設定モードを起動する任意のタイミングにおいて表示されてもよいことは、もちろんである。
【００６０】
［ステップ３２］において、外部アンプ装置が存在することが判定できた場合［ステップ３２−Ｙ］、［ステップ１６］へ移動する。［ステップ３２］において、外部アンプ装置が存在することを判定できなかった場合［ステップ３２−Ｎ］、例えば“オーディオ装置はＨＤＭＩ連動に対応していません、設定を確認してください。”を表示し［ステップ３３］、外部アンプ装置とテレビジョン装置との間の接続に光ケーブルが用いられているか否かを判定する［ステップ３４］。
【００６１】
外部アンプ装置とテレビジョン装置との間の接続に光ケーブルが用いられていない場合［ステップ３４−Ｎ］、例えば“外部アンプ装置以外の接続を解除してください。”等のメッセージを表示し、ユーザーに接続が正しいことを確認してもらうことを促す［ステップ３５］。
【００６２】
外部アンプ装置とテレビジョン装置との接続に光ケーブルが用いられている場合［ステップ３４−Ｙ］、例えば“手動で光ケーブルを利用する手順を実行してください。”等のメッセージを表示して非ＨＤＭＩ接続（非ＨＤＭＩ連動設定）の実行をユーザーにゆだねる［ステップ３６］。
【００６３】
なお、［ステップ１２］において、“ＬＡ＝０”が取得できない場合、例えば“２台以上のテレビジョン装置が接続されています”、等のメッセージをテレビジョン装置のディスプレイに表示して、ユーザーに確認を促す［ステップ３０］。
【００６４】
また、［ステップ１９］あるいは［ステップ２０］の少なくとも一方から“接続まちがい（１）”を疑うべきである場合、例えば“外部アンプ装置のＨＤＭＩ入力ポートとテレビジョン装置のＨＤＭＩポートとが接続されています”等のメッセージをテレビジョン装置のディスプレイに表示して、ユーザーに確認を促す［ステップ４１］。
【００６５】
また、［ステップ２２］から“接続まちがい（２）”を疑うべきである場合、“ＬＡ＝５”から“Ｉｎｉｔｉａｔｅ  ＡＲＣ”を受信できているか否か、すなわち、テレビジョン装置と接続する外部アンプ装置がＨＤＭＩ−ＡＲＣに対応していない外部アンプ装置であるか否かを判定する［ステップ５１］。
【００６６】
“ＬＡ＝５”から“Ｉｎｉｔｉａｔｅ  ＡＲＣ”を受信できている場合［ステップ５１−Ｙ］、例えば“外部アンプ装置（オーディオ装置）からのＨＤＭＩケーブルをテレビジョン装置のＡＲＣ対応のＨＤＭＩポートに接続してください”等のメッセージをテレビジョン装置のディスプレイに表示して、ユーザーに確認を促す［ステップ５２］。
【００６７】
一方、“ＬＡ＝５”から“Ｉｎｉｔｉａｔｅ  ＡＲＣ”を受信できていない場合［ステップ５１−Ｎ］、光ケーブルを利用する（ＨＤＭＩケーブルを用いない）と判断し、例えば“手動で光ケーブルを利用する手順を実行してください。”等のメッセージを表示して非ＨＤＭＩ接続（非ＨＤＭＩ連動設定）の実行をユーザーにゆだねる［ステップ５３］。
【００６８】
なお、実施形態においては、テレビジョン装置からの“ＬＡ＝５”への“Ｇｉｖｅ  Ｐｈｙｓｉｃａｌ  Ａｄｄｒｅｓｓ”に対して複数の“ＰＡ”から“Ｒｅｐｏｒｔ”を受け取った場合に、複数の外部アンプ装置がＨＤＭＩケーブルを用いてテレビジョン装置と接続されている可能性があることを検出できる。
【００６９】
また、実施形態においては、テレビジョン装置側のＣＥＣ信号が継続的に“Ｌｏｗ”状態であってメッセージの送信ができない（ＣＥＣのメッセージ機能が動作しない）状態が継続した場合、ＨＤＭＩケーブルでテレビジョン装置と接続した機器がＨＤＭＩ−ＣＥＣの制御に対応していない機器である可能性があること、もしくはＨＤＭＩケーブルに異常がある可能性があることを検出できる。
【００７０】
このように、実施形態によれば、テレビジョン装置と双方向通信ケーブルにより接続する機器の接続状態または初期設定において、例えばケーブルの接続まちがいに起因して映像や音声が再生できないまたは機器の連動制御ができない等の“接続まちがい（１）”の状態（症状）が発生する可能性があることを検出した場合、テレビジョン装置のディスプレイ(表示部）にその旨を表示または改善方法の案内等を表示することができる［Ｄ］。また、テレビジョン装置と双方向通信ケーブルにより接続する機器がオーディオ装置である場合において、その接続状態または設定項目にて、音声の出力先がオーディオ装置に設定されている場合に音声が再生できない等の“接続まちがい（２）”の状態が発生する可能性があることを検出した場合、その旨または改善方法をテレビジョン装置の内蔵スピーカーの音声で通知することができる［Ｅ］。また、テレビジョン装置と双方向通信ケーブルにより接続する機器との初期設定で、上述の“接続まちがい（１）”や“接続まちがい（２）”の状態が発生する可能性があることを検出した場合、もしくはオーディオ装置において設定されているオーディオ再生モードがテレビジョン装置からオーディオ装置へのオーディオ信号の出力モードと一致していない“再生モード不一致”の状態を検出した場合には、例えばオーディオ装置のオーディオ再生モードを変更する等、設定項目を適切な状態に変更する（対応可能な設定に変更する）ことができる［Ｆ］。
【００７１】
なお、上述の［Ｄ］を付した“接続まちがい（１）”の状態（症状）が発生する可能性があることを検出した場合のテレビジョン装置のディスプレイ（表示部）へのその旨の表示または改善方法の案内、［Ｅ］を付した“接続まちがい（２）”の状態が発生する可能性があることを検出した場合のその旨または改善方法の音声での通知もしくは［Ｆ］を付した“接続まちがい（１）”や“接続まちがい（２）”の状態が発生する可能性があることを検出した場合の設定項目を適切な状態への変更は、自機（テレビジョン装置）の自己診断モードによる診断結果に応じて実行することができる。また、上述の［Ｄ］、［Ｅ］及び［Ｆ］の状態は、テレビジョン装置による番組の視聴中においても、常時検出でき、上述［Ｆ］の状態に対する変更も常時可能である。これにより、ＨＤＭＩケーブルのコネクタが接続されていた装置から外れてしまったような状態が発生した場合であっても、テレビジョン装置の画面に改善方法の案内を表示することができる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
１０…テレビジョン装置（電子機器）、１１…制御部、１２…信号処理部、１３…ＨＤＭＩ制御部、１４…ＡＲＣエンコーダー、１５…ディスプレイ（表示部）、１６…内蔵スピーカー、２０…外部アンプ装置（オーディオ装置）、２１…ＨＤＭＩ制御部、２２…ＡＲＣデコーダー、２３…増幅部、３０…外部スピーカー。
【図１】
2018107497.tif 000003
【図２Ａ】
2018107497.tif 000004
【図２Ｂ】
2018107497.tif 000005
【図２Ｃ】
2018107497.tif 000006